(57)【要約】【課題】露出パネルと本体モジュールとからなる情報通信装置において、露出パネルおよび本体モジュールの構成を簡素化する。【解決手段】インターホン親機は器体１０を備える本体モジュール１と器体１０の前面に取り付けられる露出パネル２とを備える。器体１０の前面には一対の引掛栓刃が突出し、器体１０の前面には各引掛栓刃がそれぞれ挿入される一対の栓刃挿入口が開設される。端子窓は引掛栓刃が挿通される挿通部と弧状に形成されたガイド部とを備える。ガイド部に沿って各引掛栓刃と機械的に係合する刃受が配設される。【選択図】図１
2009231961.tif 000002
【特許請求の範囲】
【請求項１】
他の機器と通信するための通信線が接続され施工面に固定される本体モジュールと、本体モジュールの前面に取着され本体モジュールから電力の供給を受ける露出パネルとを備え、露出パネルと本体モジュールとは対向する対向壁面をそれぞれ備え、露出パネルと本体モジュールとの一方は、前記対向壁面から突出し露出パネルへの電力の供給を行う一対の引掛栓刃を備え、他方は、各引掛栓刃がそれぞれ挿通される部位と露出パネルを所定の取付位置に導く弧状に形成されたガイド部とを有した一対の栓刃挿入口を備え、本体モジュールは、各ガイド部の長手方向に沿ってそれぞれ配設され各引掛栓刃とそれぞれ機械的に係合するとともに露出パネルへの電力の供給を行う一対の刃受を内部に備え、露出パネルと本体モジュールとの一方は、前記対向壁面から突出し、他方の前記対向面に開設された端子窓に挿通され、露出パネルが前記所定の取付位置あるときに他方が備える端子と接続して露出パネルと本体モジュールとの間の信号の送受信を行うプラグ部を備えることを特徴とする情報通信装置。
【請求項２】
前記露出パネルと前記本体モジュールとの一方は、他方の前記対向壁面に凹設された凹所に嵌まる嵌合部を対向面に備え、凹所と嵌合部との一方のうち本体モジュール側の一方が、前記所定の取付位置にある露出パネルの下向き荷重を支える周壁を備えることを特徴とする請求項１に記載の情報通信装置。
【請求項３】
露出パネルの後面の一部は施工面と当接し、露出パネルは後面周部において外周側ほど露出パネルの厚みを薄くする傾斜面を備えることを特徴とする請求項１または請求項２に記載の情報通信装置。
【発明の詳細な説明】
【技術分野】
【０００１】
本発明は、施工面に取り付けられる本体モジュールと、本体モジュールに取り付けられる露出パネルとを備え、他の機器との間で通信を行う情報通信装置に関するものである。
【背景技術】
【０００２】
従来から、宅内などの施工面（壁）に取り付けられ、また、宅外などに設置された他の機器と信号線を用いて接続され、当該他の機器との間で通信を行う情報通信装置が提供されている（例えば、特許文献１参照）。
【０００３】
この種の情報通信装置においては、壁に固定される本体モジュールと、本体モジュールの前面に取着される露出パネルとに分離した構成が考えられる。
【０００４】
露出パネル９を本体モジュール８に取着する構成の一例を、図９（ａ），（ｂ）を参照して説明する。本体モジュール８は箱状に形成された器体８１と器体８１の前面の上下両端部から互いに離れる向きに延設された上下一対の取付板８２とを備える。露出パネル９は薄箱状に形成されている。
【０００５】
下側の取付板８２には、露出パネル９の後面下部に形成された複数個の引掛孔９１にそれぞれ差し込まれる複数個の鉤片８２ｂが突設されている。上側の取付板８２には、露出パネル９の後面に突設された複数個の取着突起９２がそれぞれ挿通される複数個の挿通孔８２ａがそれぞれ貫設されている。各取着突起９２は、取付板８２の後面に引っ掛かる爪部９２ａを先端部にそれぞれ備える。
【０００６】
また、器体８１の前壁には本体側端子窓８１ａが開設され、本体側端子窓８１ａの開口の奥には本体側接触端子８３が配設されている。一方、露出パネル９の後面側には本体側接触端子８３に接続されるパネル側接触端子９３が露出する。
【０００７】
各鉤片８２ｂを各引掛孔９１にそれぞれ差し込み各取着突起９２を各挿通孔８２ａにそれぞれ挿通して各爪部９２ａを上側の取付板８２にそれぞれ引っ掛けると、本体側接触端子８３とパネル側接触端子９３とが接続し、露出パネル９は本体モジュール８と電気的に接続した状態で本体モジュール８に取り付けられる。
【特許文献１】特開平６−２９１８１８号公報
【発明の開示】
【発明が解決しようとする課題】
【０００８】
ところで、上述した構成においては露出パネル９と本体モジュール８とを電気的に接続する構成と、露出パネル９を本体モジュール８に取り付けるための構成とが別個に必要であるから、露出パネル９および本体モジュール８の構造が複雑になるという問題がある。
【０００９】
本発明は上記事由に鑑みて為されたものであり、その目的は、露出パネルを本体モジュールに取り付ける構成の情報通信装置において、露出パネルおよび本体モジュールの構造を簡素化した情報通信装置を提供することにある。
【課題を解決するための手段】
【００１０】
請求項１の発明は、他の機器と通信するための通信線が接続され施工面に固定される本体モジュールと、本体モジュールの前面に取着され本体モジュールから電力の供給を受ける露出パネルとを備え、露出パネルと本体モジュールとは対向する対向壁面をそれぞれ備え、露出パネルと本体モジュールとの一方は、前記対向壁面から突出し露出パネルへの電力の供給を行う一対の引掛栓刃を備え、他方は、各引掛栓刃がそれぞれ挿通される部位と露出パネルを所定の取付位置に導く弧状に形成されたガイド部とを有した一対の栓刃挿入口を備え、本体モジュールは、各ガイド部の長手方向に沿ってそれぞれ配設され各引掛栓刃とそれぞれ機械的に係合するとともに露出パネルへの電力の供給を行う一対の刃受を内部に備え、露出パネルと本体モジュールとの一方は、前記対向壁面から突出し、他方の前記対向面に開設された端子窓に挿通され、露出パネルが前記所定の取付位置あるときに他方が備える端子と接続して露出パネルと本体モジュールとの間の信号の送受信を行うプラグ部を備えることを特徴とする。
【００１１】
請求項２の発明では、請求項１の発明において、露出パネルと本体モジュールとの一方は、他方の前記対向壁面に凹設された凹所に嵌まる嵌合部を対向面に備え、凹所と嵌合部との一方のうち本体モジュール側の一方が、前記所定の取付位置にある露出パネルの下向き荷重を支える周壁を備えることを特徴とする。
【００１２】
請求項３の発明では、請求項１または請求項２に記載の発明において、露出パネルの後面の一部は施工面と当接し、露出パネルは後面周部において外周側ほど露出パネルの厚みを薄くする傾斜面を備えることを特徴とする。
【発明の効果】
【００１３】
請求項１の発明の構成によれば、露出パネルの本体モジュールへの取着と本体モジュールから露出パネルへの電力の供給とが一対の引掛栓刃と一対の刃受との係合により行われるから、露出パネルの本体モジュールへの取着と本体モジュールから露出パネルへの電力の供給とを別個の構成で行うものに比べ、露出パネルおよび本体モジュールの構成が簡単になるという利点がある。
【００１４】
請求項２の構成によれば、凹所と嵌合部とが嵌合し、凹所と嵌合部との一方の周壁が他方の周壁と接触して本体モジュールが露出パネルの下向き荷重を支えるから、引掛栓刃と刃受にかかる負荷を減らすことができるという利点がある。
【００１５】
請求項３の発明の構成によれば、傾斜面が形成された露出パネルの後面周部は施工面に当接しないから、露出パネルを本体モジュールに取り付ける作業において露出パネルの後面が施工面と当接することにより仮に施工面に傷が付いたとしても当該傷は露出パネルの外周縁よりも内側になり、当該傷を露出パネルで隠すことができる。
【００１６】
また、露出パネルの周部において施工面と傾斜面との間に隙間が形成され、当該隙間に指を掛けることができるから、露出パネルを本体モジュールに着脱する作業の際に、露出パネルを保持しやすい。
【発明を実施するための最良の形態】
【００１７】
以下の各実施形態では、他の機器としてのドアホン子機（図示せず）と通話などの通信を行い、インターホンシステムを構築するインターホン親機を情報通信装置の一例として説明する。
【００１８】
（実施形態１）
ドアホン子機は通話のためのマイクロホンおよびスピーカーとカメラとを備え宅外に設置される。インターホン親機は、通話のためのマイクロホン（図示せず）およびスピーカー（図示せず）と、図２（ａ）に示すように画像を表示する表示器２１および複数個の操作スイッチ（図示せず）をそれぞれ操作する複数個の操作釦２２とを備える。ドアホン子機とインターホン親機とは通信線（図示せず）を介して接続される。操作釦２２を操作することにより、画像の表示やドアホン子機との通話を行うことができる。
【００１９】
本実施形態のインターホン親機は、図２（ｂ）に示すように箱状に形成される器体１０を備える本体モジュール１と、薄箱状に形成される露出パネル２とを備える。
【００２０】
器体１０は、通信線が接続される通信端子１２と商用電源供給用の電源線（図示せず）が接続される電源端子１３とを後面にそれぞれ備える。本体モジュール１は、通信線および電源線が接続された後、図３に示す器具配線用のスイッチボックス３０を用いて取付ねじ（図示せず）により施工面である壁Ｗに固定される。スイッチボックス３０は、取付ねじ（図示せず）が螺入されるねじ受孔３２が前端に形成された上下一対の器具固定用突起３１を２組備える。
【００２１】
本体モジュール１は、図４（ａ）に示すように複数個の取付ねじがそれぞれ挿通される複数個の取付孔１１ａがそれぞれ貫設された矩形板状の上下一対の取付板１１を備える。上側の取付板１１は、短手方向の下端部後面が器体１０の前面上端部に接続された形で器体１０と一体に形成され、下側の取付板１１は、短手方向の上端部後面が器体１０の前面下端部に接続された形で器体１０と一体に形成される。器体１０の後部をスイッチボックス３０（図３参照）に挿入して各取付ねじを各ねじ受孔３２にそれぞれ螺入することにより、本体モジュール１０は壁Ｗ（図３参照）に固定される。
【００２２】
壁Ｗに固定された本体モジュール１の前面には露出パネル２が取着される。図４（ｂ）に示すように露出パネル２は後面から突出する一対の引掛栓刃２４を備える。各引掛栓刃２４は、互いに近づく向きに突出する刃部２４ａを先端部に備える。２個の引掛栓刃２４を結んだ第１仮想直線４５は、露出パネル２の下端と所定の角度θをなす。
【００２３】
一方、器体１０は、各引掛栓刃２４がそれぞれ挿通される一対の栓刃挿入口１５を前面に備える。各栓刃挿入口１５は、器体１０の下端と略平行な第２仮想直線４３上に形成される。栓刃挿入口１５は、引掛栓刃２４が挿入される挿通部１５ａと、露出パネル２を所定の取付位置に導くガイド部１５ｂとで形成される。
【００２４】
挿通部１５ａは、引掛栓刃２４を挿通するため、第２仮想直線４３に沿って細長く形成される。各ガイド部１５ｂは、各挿通部１５ａの一端部（２個の栓刃挿入口１５の中間点からそれぞれ遠い方の端部）から互いに離れる向きに弧状（２個の栓刃挿入口１５の中間点を中心とする円の円弧）に形成される。
【００２５】
器体１０は、図５に示すように各刃部２４ａとそれぞれ係合する一対の刃受４９を内部に備える。各刃受４９は、各ガイド部１５ｂに沿ってそれぞれ配設される一対のばね板４８をそれぞれ備える。一対の板ばね４８は上下方向に重ねた形で配置され、各刃部２４ａは２枚のばね板４８の間にそれぞれ挟まることで刃受４９に挟持される。
【００２６】
また、図４（ｂ）に示すように露出パネル２の後面には、露出パネル２の取着時に各取付板１１が露出パネル２の後面と干渉しないように上下一対の凹所２５が上下両端部に凹設される。上側の凹所２５の上部は露出パネル２の上端に達し、下側の凹所２５の下部と一方の側部（図における右部）は露出パネル２の下端および側面にそれぞれ達し、露出パネル２の上端、下端および一方の側面は各凹所２５により切り欠かれた形状となっている。
【００２７】
図１および図６に示すように、露出パネル２の下端と本体モジュール１の下端とが角度θ（図４（ｂ）参照）をなす配置で露出パネル２を本体モジュール１の前方から近づけ、各引掛栓刃２４を各栓刃挿入口１５に挿入する。次いで露出パネル２を２個の引掛栓刃２４の中間点を中心として回転させる（図の矢印参照）と、露出パネル２の下端と器体１０の下端とが略平行となる位置（露出パネル２の所定の取付位置）で各引掛栓刃２４は各ガイド部１５ｂの端部に達し、各刃部２４ａが各刃受４９にそれぞれ挟持される。
【００２８】
ここにおいて、露出パネル２の取着時における回転止が、図２（ｂ）に示すように下側の取付板１１の左右方向の一端（図における左端）に突設される位置決突起１１ｃにより行われる。すなわち、露出パネル２が前記所定の取付位置となったときに位置決突起１１ｃの先端が下側の凹所２５の左右方向の側面（図４（ｂ）における左側面）に当たり露出パネル２の回転が止まる。
【００２９】
各引掛栓刃２４にかかる負荷を減らすため露出パネル２の下向き荷重は下側の取付板１１において本体モジュール１により支持される。すなわち、図４（ｂ）に示すように下側の凹所２５の上面の一部（図における左部）は、露出パネル２が前記所定の取付位置となったときに下側の取付板１１の上端と当接するように形成されている。下側の凹所２５の上面と下側の取付板１１の上端とが当接することにより、下側の取付板１１の上壁において露出パネル２の下向き荷重が本体モジュール１に支持される。すなわち、下側の取付板１１は下側の凹所２５に嵌まる嵌合部であり、下側の取付板１１の上壁が露出パネル２の下向き荷重を支える周壁となっている。
【００３０】
ところで、露出パネル２には本体モジュール１から電力を供給する必要がある。電力の供給は各引掛栓刃２４および各刃受４９によって行なわれる。各引掛栓刃２４および各ばね板４８は金属でそれぞれ形成され、本体モジュール１から露出パネル２に電力が供給される。
【００３１】
また、表示器２１で画像を表示するためやドアホン子機との通話を行うため、露出パネル２と本体モジュール１との間では信号の送受信が行われる。信号の送受信は、図４（ｂ）に示すように露出パネル２の後面から突出する複数個のプラグ部２３と、図７（ａ）に示すように器体１０が備える複数個の端子４６とで行われる。
【００３２】
具体的に説明すると、図４（ａ）に示すように器体１０の前面には各プラグ部２３がそれぞれ挿通される複数個の端子窓１４がそれぞれ開設される。各端子窓１４は、露出パネル２の回転を妨げないように弧状（各栓刃挿入口１５の中間点を中心とする円の円弧）に形成される。なお、各引掛栓刃２４を各栓刃挿入口１５にそれぞれ挿入するとともに各プラグ部２３を各端子窓１５にそれぞれ挿入する作業を容易にするため、各プラグ部２３は引掛栓刃２４の近傍に配置することが望ましい。
【００３３】
各端子窓１４の奥には、図７（ａ）に示すように、くの字状に折曲された板状の各端子４６がそれぞれ配設される。各端子４６の一端部は器体１０内に収容される基板４７上に固定される。すなわち、端子４６の他端部は端子窓１４に向かう向き（図における基板４７の上方）に斜めに突出している。
【００３４】
各プラグ部２３を各端子窓１４にそれぞれ挿入し露出パネル２を回転させると、各プラグ部２３の先端部が各端子４７の一端部（基板４７から突出した端部）にそれぞれ弾接する。すなわち、露出パネル２と本体モジュール１との間で信号の送受信が可能となる。
【００３５】
なお、表示器２１などを保護するため、各プラグ部２３と各端子４７との接触は各引掛栓刃２４と各刃受４８との接触（係合）よりも先に行われることが望ましい。
【００３６】
本実施形態では、上述したように各引掛栓刃２４を各刃受４８がそれぞれ挟持することにより露出パネル２を本体モジュール１に取着すると同時に各引掛栓刃２４と各刃受４８とにより本体モジュール１から露出パネル２への電力の供給を可能とするから、露出パネル２を本体モジュール１に取着する構成と本体モジュール１から露出パネル２への電力の供給を行う構成とを別個に備える従来構成に比べ、露出パネル２および本体モジュール１の構成を簡素化できる。
【００３７】
また、下側の凹所２５の上面と下側の取付板１１の上端とが当接することにより露出パネル２の下向き荷重を下側の取付板１１において本体モジュール１が支持するから、各引掛栓刃２４にかかる負荷を減らすことができる。
【００３８】
さらに、露出パネル２を回転させて本体モジュール１に取着するから、本体モジュール１の側方に壁や柱や戸枠などの障害物がある場合においても、露出パネル２を本体モジュール１に取着することができる。
【００３９】
なお、上述した各実施形態では器体１０の後部が壁Ｗ内に埋め込まれたスイッチボックス３０内に収容される形で本体モジュール１は壁Ｗに固定されているが、本体モジュール１は壁面に直接取り付けられる構成であってもよい。
【００４０】
（実施形態２）
本実施形態のインターホン親機は、図８に示すように露出パネル２の後面周部の形状が実施形態１と異なる。具体的には、露出パネル２の後面周部には、外周側ほど露出パネル２の厚みを薄くする傾斜面２６が形成される。
【００４１】
ここにおいて、上側の取付板１１の上端と下側の取付板１１の下端との間の寸法は壁Ｗに開設された施工孔４１の上下方向の寸法よりも大きく形成され、本体モジュール１を壁Ｗに固定したときに各取付板１１の後面先端部（上側の取付板１１の後面上端部と下側の取付板１１の後面下端部）は壁面にそれぞれ密着する。また、凹所２５の深さ寸法は取付板１１の厚み寸法と略同一寸法で形成され、露出パネル２の後面と取付板１１の後面とは同一面上となっている。したがって、露出パネル２を本体モジュール１に取り付けると、露出パネル２の後面は壁面に当接する。
【００４２】
上述したように、露出パネル２の後面周部には傾斜面２６が形成されているから、露出パネル２を本体モジュール１に取り付けた場合において壁面と傾斜面２６との間には隙間が形成されている。したがって、露出パネル２を本体モジュール１に着脱する作業において当該隙間に指を掛けて露出パネル２を持つことができ、露出パネル２の着脱作業が容易になる。
【００４３】
また、露出パネル２の取付作業において露出パネル２の後面を壁面に当接させる際に露出パネル２の後面が壁面に接触して壁面に傷が付いたとしても、当該傷は露出パネル２の外周縁よりも内側に形成され露出パネル２により覆い隠される。したがって、当該傷を外部より視認することはできない。
【００４４】
また、傾斜面２６により露出パネル２が壁面より浮き上がって見えるから、壁Ｗに取り付けたインターホン親機が壁面から遊離して見えるという視覚的効果が得られる。
【００４５】
なお、本実施形態における他の構成は、実施形態１の構成と同構成である。
【図面の簡単な説明】
【００４６】
【図１】実施形態１の組立時の背面側の斜視図である。
【図２】（ａ）は実施形態１の前面側の平面図であり、（ｂ）は背面側の斜視図である。
【図３】実施形態１においてスイッチボックスを取り付けた状態の壁の斜視図である。
【図４】（ａ）は実施形態１の本体モジュールの斜視図であり、（ｂ）は露出パネルの斜視図である。
【図５】同上における刃受の斜視図である。
【図６】実施形態１の組立時の前面側の平面図である。
【図７】本体モジュールの断面図で、（ａ）はプラグ部を端子窓に差し込んだ状態を示す図、（ｂ）はプラグ部が端子に接触した状態を示す図である。
【図８】実施形態２の側面図である。
【図９】従来例を示す（ａ）は前面側の分解斜視図であり、（ｂ）は背面側の分解斜視図である。
【符号の説明】
【００４７】
１  本体モジュール
２  露出パネル
１１  取付板（嵌合部）
１４  端子窓
１５  栓刃挿入口
２３  プラグ部
２４  引掛栓刃
２５  凹所
２６  傾斜面
４６  端子
Ｗ  壁（施工面）
【図１】
2009231961.tif 000003
【図２】
2009231961.tif 000004
【図３】
2009231961.tif 000005
【図４】
2009231961.tif 000006
【図５】
2009231961.tif 000007
【図６】
2009231961.tif 000008
【図７】
2009231961.tif 000009
【図８】
2009231961.tif 000010
【図９】
2009231961.tif 000011